(57)【要約】【課題】開口内径の異なる複数種のマンホールに対して単一の仮蓋を良好に位置決めして装着でき、仮蓋の製造・保管の手間を大幅に軽減する。【解決手段】マンホールＨ１〜Ｈ３の開口を閉鎖してその上に舗装を可能とする舗装工事用仮蓋１であって、仮蓋１の中心回りの同心円上で周方向の複数箇所に当該仮蓋１を表裏方向へ貫通する装着孔１７を形成するとともに、仮蓋１の表面側から各装着孔１７にそれぞれ装着される位置決め部材２を設け、これら位置決め部材２には、装着孔１７に装着した状態で仮蓋１の裏面側から突出するとともに装着孔１７の孔中心に対し偏心して位置するガイド片２２２を形成して、位置決め部材２の装着孔１７への装着方向を反転させることによってこれら位置決め部材２のガイド片２２２を連ねた仮蓋中心回りの同心円の外径が大小変更されるようにする。【選択図】        図６
2015121062.tif 000002
【特許請求の範囲】
【請求項１】
マンホールの開口を閉鎖してその上に舗装を可能とする舗装工事用仮蓋であって、仮蓋の蓋体中心回りの同心円上で周方向の複数箇所に当該蓋体を表裏方向へ貫通する装着孔を形成するとともに、蓋体の表面側から各装着孔にそれぞれ装着される位置決め部材を設け、これら位置決め部材には、装着孔に装着した状態で蓋体の裏面側から突出するとともに装着孔の孔中心に対し偏心して位置するガイド片を形成して、位置決め部材の装着孔への装着回転角を変更することによってこれら位置決め部材のガイド片を連ねた蓋体中心回りの同心円の外径が大小変更されるようにしたことを特徴とする舗装工事用仮蓋。
【請求項２】
前記装着孔は蓋体の径方向へ延びる長方形断面であり、前記位置決め部材は仮蓋の表面に当接する頭部と装着孔内に挿通される脚部とを備え、脚部は装着孔と同形の長方形断面の端部と、当該端部の長方形断面の半部から突出するガイド片とから構成されている請求項１に記載の舗装工事用仮蓋。
【発明の詳細な説明】
【技術分野】
【０００１】
本発明は舗装工事用仮蓋に関し、特に、マンホール設置部における舗装補修工事に使用する仮蓋の構造に関するものである。
【背景技術】
【０００２】
マンホール設置部の舗装工事、特に舗装補修工事を円滑に行う方法として特許文献１に示すようなマンホール枠設置工法が提案されている。本工法では舗装補修時にマンホール枠を撤去してマンホール開口を仮蓋（支持蓋）で塞ぎ、その上に舗装材を打設している。
【先行技術文献】
【特許文献】
【０００３】
【特許文献１】特許第４８７７８３８号公報
【発明の概要】
【発明が解決しようとする課題】
【０００４】
ところで、上記従来のマンホール枠設置工法において、マンホールは電話用あるいは電気用等に応じてその開口内径が５０ｍｍ程度づつ異なる複数種のものがある。そこで従来は鋳鉄製の仮蓋を、マンホールの開口内径の種類に応じて必要数用意しているが、その製造や保管に手間を要するという問題があった。
【０００５】
そこで、本発明はこのような課題を解決するもので、開口内径の異なる複数種のマンホールに対して単一の仮蓋を良好に位置決めして装着でき、これによって仮蓋の製造・保管の手間を大幅に軽減した舗装工事用仮蓋を提供することを目的とする。
【課題を解決するための手段】
【０００６】
本第１発明では、マンホール（Ｈ１〜Ｈ３）の開口を閉鎖してその上に舗装を可能とする舗装工事用仮蓋（１）であって、仮蓋（１）の中心回りの同心円上で周方向の複数箇所に当該仮蓋（１）を表裏方向へ貫通する装着孔（１７）を形成するとともに、仮蓋（１）の表面側から各装着孔（１７）にそれぞれ装着される位置決め部材（２）を設け、これら位置決め部材（２）には、装着孔（１７）に装着した状態で仮蓋（１）の裏面側から突出するとともに装着孔（１７）の孔中心に対し偏心して位置するガイド片（２２２）を形成して、位置決め部材（２）の装着孔（１７）への装着回転角を変更することによってこれら位置決め部材（２）のガイド片（２２２）を連ねた仮蓋中心回りの同心円の外径が大小変更されるようにする。
【０００７】
本第１発明においては、使用するマンホールの内径に応じて位置決め部材の装着孔への装着回転角を変更することによって、これら位置決め部材のガイド片を連ねた仮蓋中心回りの同心円の外径をマンホール内径に最も近いものに変更設定することができる。したがって、開口内径の異なる複数種のマンホールに対して単一の仮蓋を良好に位置決めして装着できるから、仮蓋の製造・保管の手間を大幅に軽減することができる。
【０００８】
本第２発明では、装着孔（１７）は仮蓋（１）の径方向へ延びる長方形断面をなし、位置決め部材（２）は仮蓋（１）の表面に当接する頭部（２１）と装着孔（１７）内に挿通される脚部（２２）とを備え、脚部（２２）は装着孔（１７）と同形の長方形断面の端部（２２１）と、当該端部（２２１）の長方形断面の半部から突出する前記ガイド片（２２２）とから構成されている。
【０００９】
本第２発明においては、位置決め部材を径方向で反転させて装着孔へ装着することによって開口内径の異なる二種のマンホールに対して単一の仮蓋を良好に位置決めして装着できる。
【００１０】
上記カッコ内の符号は、後述する実施形態に記載の具体的手段との対応関係を示すものである。
【発明の効果】
【００１１】
以上のように、本発明の舗装工事用仮蓋によれば、開口内径の異なる複数種のマンホールに対して単一の仮蓋を良好に位置決めして装着できるから、仮蓋の製造・保管の手間を大幅に軽減することができる。
【図面の簡単な説明】
【００１２】
【図１】仮蓋表面側の平面図である。
【図２】仮蓋裏面側の平面図である。
【図３】図１のIII−III線に沿った仮蓋の断面図である。
【図４】位置決め部材の側面図である。
【図５】位置決め部材の下方から見た端面図である。
【図６】仮蓋の使用状態を示す断面図である。
【発明を実施するための形態】
【００１３】
図１には仮蓋１の表面図を示し、図２には仮蓋１の裏面図を示す。また図３には仮蓋１の断面図を示す。仮蓋１は鋳鉄製の円盤体で、その中心には、舗装補修作業で使用する押圧具（図示略）から延びる係止棒の先端を係止するための横長係止孔１１が貫通形成されている。すなわち、当該係止孔１１は中心部１１１が円形で、当該中心部１１１の径方向対称位置は外方へ矩形をなして延出する拡径部１１２となっている。仮蓋１の裏面には係止孔１１を挟んで一対の壁部１２が突出形成されており、各壁部１２の端面中央にはこれを横断して溝条１２１が形成されている。これにより、丸棒体の先端両側に突出ピンを設けた上記係止棒を係止孔１１から差し込み、９０°回転させて突出ピンを壁部１２の溝条１２１に嵌合させることによって、係止棒を仮蓋１に止めることができる。
【００１４】
仮蓋１の表面には係止孔１１の中心（すなわち仮蓋１の中心）に対して同心円状に複数の環状凸部１３が形成されている。このような凸部１３の存在により、仮蓋１上に舗装路を形成した後、係止棒を通す作業穴を舗装路に掘削する際に上記凸部１３の円弧部分の湾曲方向や湾曲程度を観察することによって、仮蓋１の中心にある係止孔１１の位置を速やかに推測することができる。仮蓋１の裏面には上記係止孔１１を中心にして格子状に補強壁１４が突出形成されており、補強壁１４はその外周端が、仮蓋１の裏面にその中心と同心に突出形成された円形のガイド壁１５に達している。
【００１５】
また、仮蓋１には外周縁の周方向複数個所に当該仮蓋１を吊り上げる際に使用する円形の吊上げ孔１６が設けられている。そして、これら吊上げ孔１６の内方位置で、仮蓋１の外周部には周方向の三箇所に、径方向へ延びる長方形断面の装着孔１７が貫通形成されている。そして、これら装着孔１７には、仮蓋１が覆着されるマンホールの内径に応じて詳細を以下に説明するように位置決め部材２が装着される（図１参照）。
【００１６】
位置決め部材２の詳細を図４、図５に示す。ここで、図４は位置決め部材２の側面図、図５は位置決め部材２を下方から見た平面図である。位置決め部材２は上方へ円弧状に膨出湾曲する大径の頭部２１を備え、当該頭部２１の平坦な下面が仮蓋の表面に当接している。頭部２１の下面中央部からは装着孔１７に挿通されて下方へ脚部２２が突出している。脚部２２は、装着孔１７と同形の長方形断面の上端部２２１と、上端部２２１の長方形断面の半部から、すなわち装着孔１７の孔中心に対し偏心して、下方へ突出するガイド片２２２から構成されている。ここで、上端部の長辺の長さをＬとし、この方向でのガイド片２２２の長さをｌ（＝Ｌ／２）とする。
【００１７】
このような構造の仮蓋１において、最も内径の小さいマンホールＨ１に対しては、図６（１）に示すように装着孔１７に位置決め部材２を装着することなく、マンホールＨ１の内径に対してやや小さい外径Ｄのガイド壁１５によって仮蓋１はマンホールＨ１の開口に良好に位置決めされる。
【００１８】
内径のより大きいマンホールＨ２に対しては、図６（２）に示すようにガイド片２２２が内側へ来るようにして三つの各装着孔１７（図１）に位置決め部材２をそれぞれ装着する。これにより、各位置決め部材２のガイド片２２２を連ねた係止孔１１の中心（すなわち蓋体１の中心）に対する同心円の外径はＤ＋２（ｌ＋α）(αはガイド壁１５とガイド片２２２の間の隙)となって、より大きなマンホールＨ２の内径に対してやや小さい大きさとなり、これらガイド片２２２によって仮蓋１をマンホールＨ２の開口に良好に位置決めすることができる。
【００１９】
内径のさらに大きいマンホールＨ３に対しては、図６（３）に示すようにガイド片２２２が外側へ来るように、装着孔１７への位置決め部材２の装着回転角を１８０°変更して三つの各装着孔１７にそれぞれ装着する。これにより、各位置決め部材２のガイド片２２２を連ねた係止孔１１の中心（すなわち蓋体１の中心）の同心円の外径はＤ＋２(Ｌ＋α)        となって、さらに大きなマンホールＨ３の内径に対してやや小さい大きさとなり、これらガイド片２２２によって仮蓋１をマンホールＨ３の開口に良好に位置決めすることができる。
【００２０】
このようにして、位置決め部材２の装着孔１７への装着回転角を変更することによって、開口内径の異なるマンホールＨ１〜Ｈ３に対して単一の仮蓋１を良好に位置決めして装着できる。なお、上記実施形態では位置決め部材２の装着回転角を１８０°変更する、すなわち位置決め部材２を反転して装着するようにしたが、装着回転角は１８０°に限られないことはもちろんである。この場合、位置決め部材２の装着回転角を複数から選択できるようにすれば、さらに多種の開口内径のマンホールに対応することができる。
【符号の説明】
【００２１】
１…仮蓋、１７…装着孔、２…位置決め部材、２１…頭部、２２…脚部、２２１…上端部（端部）、２２２…ガイド片、Ｈ１，Ｈ２，Ｈ３…マンホール。
【図１】
2015121062.tif 000003
【図２】
2015121062.tif 000004
【図３】
2015121062.tif 000005
【図４】
2015121062.tif 000006
【図５】
2015121062.tif 000007
【図６】
2015121062.tif 000008